(57)【要約】【課題】屋上緑化の実施にかかるコストを低減させることができるポット支持部材を提供する。【解決手段】本発明に係るポット支持部３は、折板屋根における山部１０５に取り付けられ、ポット１０３を支持するためのものである。ポット１０３において、植物を植え付けるための開口部が設けられた面を上部１３１とし、植え付けた植物を支える面であって、上部１３１と対向する面を底部１３２とするとき、上部１３１の側端部と、底部１３２の側端部とに当接し、ポットを挟持する第１挟持部３１および第２挟持部３２を備える。【選択図】図１
2010142202.tif 000002
【特許請求の範囲】
【請求項１】
折板屋根における断面形状が山形に形成された部分である山部に取り付けられ、植物を植え付けるための容器であるポットを支持するためのポット支持部材であって、
上記ポットにおいて、植物を植え付けるための開口部が設けられた面を上部面とし、植え付けた植物を支える面であって、上記上部面と対向する面を底部面とするとき、
上記上部面の側端部と、上記底部面の側端部とに当接し、ポットを挟持するポット挟持部を備えることを特徴とするポット支持部材。
【請求項２】
上記ポット挟持部は、
第１ポットの上部面の側端部および底部面の側端部に当接し、該第１ポットを挟持する第１ポット挟持部と、
上記第１ポットと隣接し、該第１ポットとともに、当該ポット支持部材を挟みこむ位置に配置された第２ポットの上部面の側端部および底部面の側端部に当接し、該第２ポットを挟持する第２ポット挟持部とを備えることを特徴とする請求項１に記載のポット支持部材。
【請求項３】
上記第１ポット挟持部および上記第２ポット挟持部のそれぞれは、一方向に連接する複数のポットにおける上部面の側端部と、連接する複数のポットにおける底部面の側端部とに当接し、これら複数のポットを挟持するように上記方向に伸びた棒状形状であることを特徴とする請求項２に記載のポット支持部材。
【請求項４】
上記折板屋根は、複数の板の端部を鉤継ぎによりつなぎ合わして形成しており、この鉤継ぎによりつなぎ合わされた部分である継ぎ目部が、上記折板屋根の上記山部に沿って形成されており、
上記継ぎ目部と結合し、当該ポット支持部材を上記山部に取り付けるための取り付け部をさらに備えることを特徴とする請求項１から３のいずれか１項に記載のポット支持部材。
【請求項５】
上記取り付け部は、上記継ぎ目部を挟み込んで、該継ぎ目部と結合する継ぎ目結合部と、
上記折板屋根の面と垂直に交わる方向でかつ上向きに立ち上がった形状をした突出部とを有しており、
上記ポット挟持部は、上記突出部を挟み込み、上記取り付け部と結合する結合部をさらに備えることを特徴とする請求項４に記載のポット支持部材。
【請求項６】
上記折板屋根を、複数の端部をボルトによって締結して形成しており、上記折板屋根の面と垂直に交わる方向でかつ、上向きに、該ボルトの先端部が突出しており、
上記折板屋根の面と垂直に交わる方向でかつ上向きに、上記ボルトの先端部の突出量よりも大きくなるように立ち上がった突出部を有する、上記山部に固着され、上記ポット挟持部を該山部に取り付けるための取り付け部をさらに備え、
上記ポット挟持部は、上記突出部を挟み込み、上記取り付け部と結合する結合部を備えることを特徴とする請求項１から３のいずれか１項に記載のポット支持部材。
【請求項７】
請求項１から６のいずれか１項に記載の、複数のポット支持部材を備え、
一対の上記ポット支持部材を該ポットにおける対向する側部にそれぞれ配置し、該一対のポット支持部材によって、対向する側部それぞれの側にある上記上部面の側端部と、上記底部面の側端部とを挟持して、上記ポットを支持することを特徴とするポット支持システム。
【請求項８】
植物を植え込むための容器であるポットを挟持するためのポット挟持部を折板屋根に延設するために、該ボット挟持部を該折板屋根に固定するための固定部であって、
当該固定部を上記折板屋根に固着するための固着部と、
上記ポット挟持部を取り付けるための接触面を有する、上記折板屋根に対して垂直となる方向でかつ上向きに上記固着部から突出した突出部と、を備えることを特徴とする固定部。
【請求項９】
上記折板屋根は、複数の板の端部を鉤継ぎによりつなぎ合わして形成されており、この鉤継ぎによりつなぎ合わされた部分であり、この折板屋根から突出した継ぎ目部を有しており、
上記固着部は、
上記継ぎ目部と当接する当接部と、
上記継ぎ目部を当接部に対して押圧するた押圧部と、を備えることを特徴とする請求項８に記載の固定部。
【発明の詳細な説明】
【技術分野】
【０００１】
本発明は、折板屋根における断面形状が山形に形成された部分である山部に取り付けられ、植物を植え付けるための容器であるポットを支持するためのポット支持部材（緑化支持部材）及び複数の該ポット支持部材を備えてなるポット支持システム（屋根緑化システム）に関するものである。
【背景技術】
【０００２】
近年、ヒートアイランド対策、建築物保護、および癒し効果等の観点から、建築物の屋上等に植物を植え付ける、いわゆる屋上緑化に対する関心が高まっている。また、ある規模以上の建物に対して、一定割合以上の範囲を緑化するように義務付ける地方自治体が増えており、緑化可能な十分な敷地を有さない工場等では、該工場における屋上スペースを活用した緑化（屋上緑化）に関心が集まっている。
【０００３】
このような屋上緑化を実施する施工例としては、折板屋根に複数のレールを設置し、該レール上に略直方体形状のポット（植木鉢）を敷き詰める工法がある（例えば、特許文献１に示す据付部材を利用した施行例）。この施行例では、ポットを、同一方向に延設した複数のレールに据付け、このポットにセダム等の植物を植えつける。
【特許文献１】特開２００８−２２７２３号公報（２００８年２月７日公開）
【発明の開示】
【発明が解決しようとする課題】
【０００４】
しかしながら、上記従来の構成では、屋上緑化の実施にコストがかかるといった問題が生じる。
【０００５】
具体的には、特許文献１の施行例では、折板屋根に設置した複数のレール上にポットを載置する構成であるため、レールと該レールにポットを固定するための据付部材が必須となる。このため、屋上緑化を実施するためには、上記レールと上記据付部材とを製造するための費用が必要となる。ところで、上記レールおよび上記据付部材は、強度の点からステンレス鋼等の金属により形成されるが、近年の鋼材価格の急騰により、屋上緑化の実施に係るコストがますます増大することとなる。
【０００６】
本発明は、上記の問題点に鑑みてなされたものであり、その目的は、屋上緑化の実施にかかるコストを低減させることができるポット支持部材、ポット支持システム、および固定部を提供することにある。
【課題を解決するための手段】
【０００７】
本発明に係るポット支持部材は、上記した課題を解決するために、折板屋根における断面形状が山形に形成された部分である山部に取り付けられ、植物を植え付けるための容器であるポットを支持するためのポット支持部材であって、上記ポットにおいて、植物を植え付けるための開口部が設けられた面を上部面とし、植え付けた植物を支える面であって、上記上部面と対向する面を底部面とするとき、上記上部面の側端部と、上記底部面の側端部とに当接し、ポットを挟持するポット挟持部を備えることを特徴とする。
【０００８】
上記した構成によると、ポット挟持部を備えるため、上記ポットの底部面を支持するとともに、ボットの底部面側と上部面側とから挟みこんでポットを折板屋根の山部で支持することができる。
【０００９】
このように、ポット挟持部を備えるため、ポットを底部側から支えるためにレールなどの棒状部材を複数延設し、該棒状部材間に載架したポットを固定する構成と比較して、この棒状部材および棒状部材の取り付け部品を備える必要がなく、該ポットの底部面を支持することができる。また、ポット挟持部によってポットを底部面側と上部面側とから挟みこんで固定することができる。
【００１０】
このため、ポットを折板屋根上に取り付けるための部品点数を減らすことができ、折板屋根上に配置したポットに植物を植え付ける屋上緑化の実施にかかるコストを低減できる。
【００１１】
したがって、本発明に係るポット支持部材は、屋上緑化の実施にかかるコストを低減させることができるという効果を奏する。
【００１２】
本発明に係るポット支持部材は、上記した構成において、上記ポット挟持部は、第１ポットの上部面の側端部および底部面の側端部に当接し、該第１ポットを挟持する第１ポット挟持部と、上記第１ポットと隣接し、該第１ポットとともに、当該ポット支持部材を挟みこむ位置に配置された第２ポットの上部面の側端部および底部面の側端部に当接し、該第２ポットを挟持する第２ポット挟持部とを備えるように構成されていてもよい。
【００１３】
上記した構成によると、第１ポット挟持部および第２挟持部を備えるため、本発明のポット支持部材により、当該ポット支持部材を挟み込む位置にある隣接するポットそれぞれの、底部面を支持することができ、また、ポットそれぞれを底部面側と上部面側とから挟みこんで固定することができる。
【００１４】
したがって、当該ポット支持部材を挟んで隣接する複数のポットを折板屋根上に効率よく固定することができる。
【００１５】
本発明に係るポット支持部材は、上記した構成において、上記第１ポット挟持部および上記第２ポット挟持部のそれぞれは、一方向に連接する複数のポットにおける上部面の側端部と、連接する複数のポットにおける底部面の側端部とに当接し、これら複数のポットを挟持するように上記方向に伸びた棒状形状であってもよい。
【００１６】
上記した構成によると、第１ポット挟持部および第２ポット挟持部は、一方向に連接された複数のポットの上部面および底部面それぞれの側端部を一度に挟持できるため、効率よく複数のポットを折板屋根上で支持することができる。
【００１７】
本発明に係るポット支持部材は、上記した構成において、上記折板屋根は、複数の板の端部を鉤継ぎによりつなぎ合わして形成しており、この鉤継ぎによりつなぎ合わされた部分である継ぎ目部が、上記折板屋根の上記山部に沿って形成されており上記継ぎ目部と結合し、当該ポット支持部材を上記山部に取り付けるための取り付け部をさらに備えるように構成されていてもよい。
【００１８】
上記した構成によると、上記取り付け部を備えているため、当該ポット支持部材を、直接、折板屋根に取り付けることができる。
【００１９】
本発明に係るポット支持部材は、上記した構成において、上記取り付け部は、上記継ぎ目部を挟み込んで、該継ぎ目部と結合する継ぎ目結合部と、上記折板屋根の面と垂直に交わる方向でかつ上向きに立ち上がった形状をした突出部とを有しており、上記ポット挟持部は、上記突出部を挟み込み、上記取り付け部と結合する結合部をさらに備えるように構成されていてもよい。
【００２０】
上記した構成によると、取り付け部が継ぎ目結合部と突出部とを備えるため、この取り付け部は、継ぎ目部に取り付けられた状態で突出部を提供することができる。一方、ポット挟持部は、結合部を備えるため、上記取り付け部によって提供された突出部を介して、該取り付け部と結合することができる。
【００２１】
このように、本発明に係るポット支持部材は、ポット挟持部とは別体に設けられた取り付け部を介して、該ポット挟持部を折板屋根に取り付けることができる構成である。このため、例えば、継ぎ目部が設けられている向きとポット支持部材を設置する位置との関係からポット挟持部を直接、折板屋根に取り付けることができないような場合であっても、ポット挟持部と結合するための突出部を提供する上記取り付け部を介して折板屋根に取り付けることができる。
【００２２】
また、上述のように、取り付け部を、ポット挟持部とは別体に設けることができるため、突出部の突出する方向や突出する大きさ等を適宜設定することにより、該取り付け部と結合するポット挟持部の位置を適切な位置とすることができる。例えば突出部の突出量を大きくした場合、ポット挟持部は、折板屋根からより離れた位置に取り付けることができ、折板屋根上に突起物等の障害物が存在する場合であってもこの障害物を回避してポットを支持することができる。
【００２３】
本発明に係るポット支持部材は、上記した構成において、上記折板屋根を、複数の端部をボルトによって締結して形成しており、上記折板屋根の面と垂直に交わる方向でかつ、上向きに、該ボルトの先端部が突出しており、上記折板屋根の面と垂直に交わる方向でかつ上向きに、上記ボルトの先端部の突出量よりも大きくなるように立ち上がった突出部を有する、上記山部に固着され、上記ポット挟持部を該山部に取り付けるための取り付け部をさらに備え、上記ポット挟持部は、上記突出部を挟み込み、上記取り付け部と結合する結合部を備えるように構成されていてもよい。
【００２４】
上記した構成によると、取り付け部を備えるため、折板屋根の山部に固着された突出部を提供することができる。一方、ポット挟持部は、結合部を備えるため、上記取り付け部によって提供された突出部を介して、該取り付け部と結合することができる。特に、突出部の突出量がボルトの先端部の突出量よりも大きいため、ポルトの先端よりも高い位置にポット挟持部を配置するように、取り付け部に結合することができる。
【００２５】
したがって、ボルトが突出するように構成された折板屋根の場合であってもこのボルトを回避してポットを支持することができる。
【００２６】
本発明に係るポット支持システムは、上記した課題を解決するために、上記した複数のポット支持部材を備え、一対の上記ポット支持部材を該ポットにおける対向する側部にそれぞれ配置し、該一対のポット支持部材によって、対向する側部それぞれの側にある上記上部面の側端部と、上記底部面の側端部とを挟持して、上記ポットを支持することを特徴とする。
【００２７】
上記した構成によると、一対のポット支持部材によって、ポットの対向する側部それぞれの側にある上部面の側端部と底部面の側端部とを挟持し、ポットを支持することができる。
【００２８】
このため、ポットを底部側から支えるためにレールなどの棒状部材を複数延設し、該棒状部材間に載架したポットを固定する構成と比較して、この棒状部材および棒状部材の取り付け部品等を必要とすることなく、該ポットの底部面を支持することができる。
【００２９】
また、一対のポット支持部材それぞれが有するポット挟持部によって、ポットの対向する側部それぞれにおいて、底部面側と上部面側とから挟みこんでポットを固定することができる。
【００３０】
このため、ポットを折板屋根上に取り付けるための部品点数を減らすことができ、折板屋根上に配置したポットに植物を植え付ける屋上緑化の実施にかかるコストを低減できる。
【００３１】
したがって、本発明に係るポット支持システムは、屋上緑化の実施にかかるコストを低減させることができるという効果を奏する。
【００３２】
本発明に係る固定部は、上記した課題を解決するために、植物を植え込むための容器であるポットを挟持するためのポット挟持部を折板屋根に延設するために、該ボット挟持部を該折板屋根に固定するための固定部であって、当該固定部を上記折板屋根に固着するための固着部と、上記ポット挟持部を取り付けるための接触面を有する、上記折板屋根に対して垂直となる方向でかつ上向きに上記固着部から突出した突出部と、を備えることを特徴とする。
【００３３】
上記した構成によると、上記固着部と上記突出部とを備えるため、折板屋根にポット挟持部を取り付けるための接触面を提供することができる。したがって、ポット挟持部を取り付けるための接触面が折板屋根上にない場合であっても、この固定部を介してポット挟持部を取り付けることができる。
【００３４】
このため、ポットを底部側から支えるための例えばレールを複数延設し、該レール間に載架したポットを固定部材により固定する構成と比較して、このレールおよびレールを折板屋根に取り付けるために必要な部品が不要となる。
【００３５】
よって、ポットを折板屋根上に取り付けるための部品点数を減らすことができ、折板屋根上に配置したポットに植物を植え付ける屋上緑化の実施にかかるコストを低減できる。
【００３６】
したがって、本発明に係るポット支持部材は、屋上緑化の実施にかかるコストを低減させることができるという効果を奏する。
【００３７】
本発明に係る固定部は、上記した構成において、上記折板屋根は、複数の板の端部を鉤継ぎによりつなぎ合わして形成されており、この鉤継ぎによりつなぎ合わされた部分であり、この折板屋根から突出した継ぎ目部を有しており、上記固着部は、上記継ぎ目部と当接する当接部と、上記継ぎ目部を当接部に対して押圧するた押圧部と、を備えるように構成されていてもよい。
【００３８】
上記した構成によると、固定部では、固着部が当接部と押圧部とを備えているため、継ぎ目部を挟み込んで固定部自身を折板屋根に固定することができる。
【発明の効果】
【００３９】
本発明に係るポット支持部材は、以上のように、折板屋根における断面形状が山形に形成された部分である山部に取り付けられ、植物を植え付けるための容器であるポットを支持するためのポット支持部材であって、上記ポットにおいて、植物を植え付けるための開口部が設けられた面を上部面とし、植え付けた植物を支える面であって、上記上部面と対向する面を底部面とするとき、上記上部面の側端部と、上記底部面の側端部とに当接し、ポットを挟持するポット挟持部を備えることを特徴とする。
【００４０】
したがって、本発明に係るポット支持部材は、屋上緑化の実施にかかるコストを低減させることができるという効果を奏する。
【００４１】
本発明に係るポット支持システムは、以上のように、上記した複数のポット支持部材を備え、一対の上記ポット支持部材を該ポットにおける対向する側部にそれぞれ配置し、該一対のポット支持部材によって、対向する側部それぞれの側にある上記上部面の側端部と、上記底部面の側端部とを挟持して、上記ポットを支持することを特徴とする。
【００４２】
したがって、本発明に係るポット支持システムは、屋上緑化の実施にかかるコストを低減させることができるという効果を奏する。
【００４３】
本発明に係る固定部は、以上のように、植物を植え込むための容器であるポットを挟持するためのポット挟持部を折板屋根に延設するために、該ボット挟持部を該折板屋根に固定するための固定部であって、当該固定部を上記折板屋根に固着するための固着部と、上記ポット挟持部を取り付けるための接触面を有する、上記折板屋根に対して垂直となる方向でかつ上向きに上記固着部から突出した突出部と、を備えることを特徴とする。
【００４４】
したがって、本発明に係るポット支持部材は、屋上緑化の実施にかかるコストを低減させることができるという効果を奏する。
【発明を実施するための最良の形態】
【００４５】
（屋根緑化システムの構成）
本発明の一実施形態について図１ないし図１６に基づいて説明すると以下の通りである。すなわち、本実施の形態に係る屋根緑化システム１００は、図２に示すように、例えば、工場または倉庫等の折板屋根１０１の上面に設置したポット１０３に植物１０２を植え込み、屋根の緑化を実現するものである。図２は、本発明の実施形態を示す図であり、折板屋根１０１に据付たポット１０３に植物１０２を植えつけた屋根緑化システム（ポット支持システム）１００の一例を示す。
【００４６】
図２に示すように、屋根緑化システム１００は、植物１０２が植え込まれた複数のポット１０３・・・と、各ポット１０３の側部を挟持して折板屋根１０１上に固定するための複数のポット支持部（ポット支持部材・緑化支持部材）３・・・と、当該屋根緑化システム１００により植物が植え付けられる範囲である緑化範囲の外周における端部に配置される仕切り部５０とを備えてなる構成である。
【００４７】
屋根緑化システム１００では、１つのポット支持部３によって、該ポット支持部３を間に挟んで隣接する２つのポット１０３・・・における、互いに近接する側部を挟持できるようになっている。このため、２つのポット支持部３・・・によって１つのポット１０３の１組の対向する側部を挟持し、３つのポット支持部３・・・によって２つのポット１０３・・・それぞれの１組の対向する側部を挟持することができる。
【００４８】
（ポットの構成）
ここで、まずポット１０３について図３を参照して説明する。図３は、本発明の実施形態を示すものであり、ポット１０３の概略構成を示す斜視図である。
【００４９】
ポット１０３は、植物を収容するための直方体形状をした容器（植木鉢）であり、例えば、ポリプロピレン等によって形成することができる。なお、本実施の形態に係る屋根緑化システム１００では、図３に示すように各ポット１０３が植え込み口（開口部）１０４を９つ有しており、この植え込み口１０４・・・それぞれに植物を植えつけることができるようになっている。この植えつける植物としては、価格が手ころであり、一年中外置きできるためセダム類が好適である。
【００５０】
なお、本実施の形態に係るポット１０３では、説明の便宜上、植え込み口１０４が設けられる側の面を上部１３１、該上部１３１と対向する面でありポット１０３の底となる面を底部１３２とする。
【００５１】
また、上部１３１において長手となる辺側の面を第１側部１３３ａ、１３３ｂとし、上部１３１において短手となる辺側の面を第２側部１３４ａ、１３４ｂとする。第１側部１３３ａ、１３３ｂ、ならびに第２側部１３４ａ、１３４ｂそれぞれを特に区別する必要がない場合は、単に第１側部１３３、および第２側部１３４と称する。
【００５２】
また、本実施の形態に係る屋根緑化システム１００では、ポット支持部３によって挟持される側部を、第２側部１３４として説明する。ただし、ポット支持部３によって挟持されるポット１０３の側部は第２側部１３４に限定されるものではなく、第１側部１３３であってもよい。
【００５３】
なお、ポット１０３の形状は、上記した直方体形状に限定されるものではなく立方体形状であってもよい。すなわち、ポット１０３は、２つのポット支持部３・・・によって挟持され、折板屋根１０１上で支持されるように、少なくとも対向する１組の側部を有する形状であればよい。
【００５４】
（折板屋根の構造）
次に、図４を参照して、ポット１０３を据付る折板屋根１０１の構造について説明する。図４は、本発明の実施形態を示すものであり、折板屋根１０１の概略構成を示す斜視図である。
【００５５】
図４に示すように折板屋根１０１は、複数の板の端部を鉤継ぎによりつなぎ合わせて構成し、この鉤継ぎによりつなぎ合わせた、継ぎ目部１０６が折板屋根１０１の山部１０５ごとに形成されている。この継ぎ目部１０６は、図４に示すように、山部１０５の長手方向に伸びており、図４に示すα´からαに向かう方向（以下、α´−αの方向のように称する）から見たその断面形状は山部１０５から立ち上がって立ち上がり部６１を形成し、立ち上がり部６１の端部が左方向に折れ曲がり巻き込み部６０を形成している。
【００５６】
なお、本実施形態では、図４に示すように折板屋根１０１において、山部１０５の長手方向をｙ軸方向、このｙ軸方向と垂直に交わる方向をｘ軸方向とする。また、折板屋根１０１の面と垂直に交わる方向で、継ぎ目部１０６が山部１０５から突出している方向をｚ軸とする。また、後述するが、本実施の形態に係るポット支持部３は山部１０５に固着される。そこで、山部１０５におけるポット支持部３を固着する面を固着面と称する。
【００５７】
（ポット支持部）
次に、ポット支持部３の構造について図１および図５、図６を参照して説明する。図１は、本発明の実施形態を示すものであり、ポット支持部３の構造を示す側面図である。すなわち、図１では、図４に示す折板屋根１０１におけるｙ軸上のα−α´方向からみたポット支持部３の側面を示す。図５は、本発明の実施形態を示すものであり、ポット支持部３の折板屋根１０１における配置位置を示す平面図である。図６は、本発明の実施形態を示すものであり、ポット支持部３の分解図である。この図６では、図５に示す折板屋根１０１におけるｙ軸上のα−α´方向からみたポット支持部３の断面形状を示している。
【００５８】
ポット支持部３は、ポット１０３が有する第２側部１３４の一方を挟持し、他方の第２側部１３４を挟持する他のポット支持部３とによって、ポット１０３を折板屋根１０１上に据付るためのものであり、例えば、ステンレス鋼等によって形成される。図５に示すように複数のポット支持部３・・・が、折板屋根１０１においてｙ軸方向、すなわち、山部１０５の長手方向に延設されている。そして、対向する２つのポット支持部３・・・によってポット１０３の対向する側部（第２側部１３４ａ、第２側部１３４ｂ）をそれぞれ挟持するように構成されている。また、ポット支持部３は、上述のようにｙ軸方向に伸びた形状であるため、１つのポット支持部３によって、ｙ軸方向に連接した複数のポット１０３・・・の側部（第２側部１３４ａ、または第２側部１３４ｂ）を一度に挟持することができる。
【００５９】
図６に示すように、ポット支持部（ポット支持部材・緑化支持部材）３は、第１挟持部（ポット挟持部、第１ポット挟持部、取り付け部、結合部）３１、第２挟持部（ポット挟持部、第２ポット挟持部、取り付け部、結合部）３２、ポット支持部用ナット３３、およびポット支持部用ボルト３４を備えてなる構成である。
【００６０】
第１挟持部３１は、ポット１０３の第２側部１３４ｂを挟み込むものであり、図５に示すように、折板屋根１０１においてｙ軸方向に延びた形状となっている。
【００６１】
第１挟持部３１は、第１上部接触部３１１、第１底部接触部３１２、第１接合部３１３、および第１挟み込み部（取り付け部、結合部）３１４を備えてなる構成である。
【００６２】
第１上部接触部３１１は、ポット１０３の第２側部１３４ｂ側において上部１３１と当接する面である。
【００６３】
第１底部接触部３１２は、ポット１０３の第２側部１３４ｂ側において底部１３２と当接する面である。
【００６４】
第１上部接触部３１１と第１底部接触部３１２とは対向しており、両者の間隔は、上部１３１から底部１３２までの大きさと略等しくなっている。このため、第１上部接触部３１１と第１底部接触部３１２とによってポット１０３の第２側部１３４ｂ側を挟持することができる。
【００６５】
第１接合部３１３は、後述する第２挟持部３２の第２接合部３２３と重ね合わされる面である。
【００６６】
第１挟み込み部３１４は、後述する第２挟持部３２の第２挟み込み部３２４とによって、継ぎ目部１０６を挟み込む面である。
【００６７】
第１挟持部３１は、その断面形状において図６に示すように、第１上部接触部３１１の、ポット１０３が配置される側とは反対の端部が、ｚ軸方向でかつ折板屋根１０１に向かう方向に折れ曲がり、第１接合部３１３を形成する。第１接合部３１３の端部が継ぎ目部１０６の巻き込み部１０６の上方で、該継ぎ目部１０６の巻き込み部６０の上部を覆うように、Ｌ字形状に折れ曲がり第１挟み込み部３１４を形成する。第１挟み込み部３１４の第１接合部３１３側とは反対の端部は、山部１０５の固着面に沿うように折れ曲がり、ポット１０３が配置される側に伸びて、第１底部接触部３１２を形成する。このように、第１挟持部３１の断面形状は、コの字形状の一角が、コの開口方向に窪んだような形状となっている。
【００６８】
第２挟持部３２は、第１挟持部３１が挟みこむポット１０３とは別の隣接するポット１０３の第２側部１３４ａを挟み込むものであり、図５に示すように、折板屋根１０１においてｙ軸方向に延びた形状となっている。また、図６に示すように、第２挟持部３２は、第２上部接触部３２１、第２底部接触部３２２、第２接合部３２３、および第２挟み込み部３２４を備えてなる構成である。
【００６９】
第２上部接触部３２１は、第１挟持部３１が挟みこむポット１０３とは別の隣接するポット１０３の第２側部１３４ａ側において上部１３１と当接する面である。
【００７０】
第２底部接触部３２２は、第１挟持部３１が挟みこむポット１０３とは別の隣接するポット１０３の第２側部１３４ａ側において底部１３２と当接する面である。
【００７１】
第２上部接触部３２１と第２底部接触部３２２とは対向する面となっており、両者の間隔は、上部１３１から底部１３２までの大きさと略等しくなっている。このため、第２上部接触部３２１と第２底部接触部３２２とによって、第１挟持部３１が挟みこむポット１０３とは別の隣接するポット１０３の第２側部１３４ｂ側を挟持することができる。
【００７２】
第２接合部３２３は、上記した第１挟持部３１の第１接合部３１３と重ね合わされる面である。
【００７３】
第２挟み込み部３２４は、上記した第１挟持部３１の第１挟み込み部３２４とによって、継ぎ目部１０６を挟み込む面である。
【００７４】
第２挟持部３２は、その断面形状において図６に示すように、第２上部接触部３２１の、ポット１０３が配置される側とは反対の端部がｚ軸方向でかつ折板屋根１０１の面に向かう方向に折れ曲がり、第２接合部３２３を形成する。第２接合部３２３の端部が継ぎ目部１０６の巻き込み部６０の下端と同じ高さ位置で、第１挟み込み部３１４とによって該巻き込み部６０を囲むように、Ｌ字形状に折れ曲がり第２挟み込み部３２４を形成する。第２挟み込み部３２４の第２接合部３２３側とは反対の端部は、山部１０５の固着面に沿うように折れ曲がり、第１挟持部３１が挟みこむポット１０３とは別の隣接するポット１０３が配置される側に伸びて、第２底部接触部３２２を形成する。このように、第２挟持部３２の断面形状は、コの字形状の一角が、コの開口方向とは逆の方向に突出した形状となっている。
【００７５】
上記した形状を有する第１挟持部３１と第２挟持部３２では、第１接合部３１３および第２接合部３２３に、ポット支持部用ボルト３４が貫通できるように貫通孔が設けられている。そして、ポット支持部用ボルト３４を第２挟持部３２側からこの貫通孔に挿入し、第１挟持部３１側のポット支持部用ナット３３に螺合させ、ポット支持部用ボルト３４とポット支持部用ナット３３とによって第１接合部３１３と第２接合部３２３とを挟み込み、両者を重ねるようにして固定するようになっている。このように第１接合部３１３と第２接合部３２３とを重ねると、第１挟み込み部３１４と第２挟み込み部３２４とも重ね合わされ、結果として第１挟み込み部３１４と第２挟み込み部３２４との間に継ぎ目部１０６を挟み込むこととなる。具体的には、図１に示すように、第１挟み込み部３１４によって継ぎ目部１０６の立ち上がり部６１を押圧し、第２挟み込み部３２４によって巻き込み部６０を押圧し、第１挟み込み部３１４と第２挟み込み部３２４とで継ぎ目部１０６を挟み込んでいる。
【００７６】
このようにして、継ぎ目部１０６を第１挟み込み部３１４と第２挟み込み部３２４とによって挟み込むことにより、折板屋根１０１にポット支持部３を取り付けることができる。すなわち、図５に示すｙ軸方向に延設された複数のポット支持部３によって折板屋根１０１にポット１０３を据付ける構成の場合、第１挟み込み部３１４と第２挟み込み部３２４とによって本発明の取り付け部を実現する。
【００７７】
また、第２挟持部３２の第２挟み込み部３２４は、その断面形状が、巻き込み部６０の下端部分に沿って、立ち上がり部６１に向かって伸び、立ち上がり部６１の近傍でこの立ち上がり部６１に沿って折板屋根１０１に向かって折れ曲がっている。さらに、折板屋根１０１に接する位置で、該折板屋根１０１に沿って第２挟持部３２によって挟持するポット１０３が配置される側に向かって折れ曲がった、コの字形状をしている。すなわち、第２挟持部３２は、該第２挟持部３２によって挟持するポット１０３が配置される側とは反対方向に向かって突出した形状をしている。このため、この第２挟み込み部３２４を、山部１０５の固着面と継ぎ目部１０６の立ち上がり部６１および巻き込み部６０とによって形成される間隙にはめ込むことができる。それゆえ、第１挟持部３１と第２挟持部３２とをポット支持部用ボルト３４と、ポット支持部用ナット３３とによって一体となるように接合する際の位置決めを容易とすることができる。
【００７８】
なお、上記では図５に示すように複数のポット支持部３・・・が、折板屋根１０１においてｙ軸方向、すなわち、山部１０５の長手方向に延設されている場合について、ポット支持部３の折板屋根１０１への取り付け構造について説明した。ところで、図７に示すように複数のポット支持部３・・・が、折板屋根１０１においてｘ軸方向、すなわち、山部１０５の長手方向と垂直に交わるように延設される場合も想定される。例えば、山部１０５が形成される間隔がポット１０３の第１側部１３３と一致しない場合や、折板屋根１０１におけるｘ軸方向にポット１０３を連接していくことが望まれる場合などである。
【００７９】
そこで、以下において、複数のポット支持部３・・・を、折板屋根１０１においてｘ軸方向に延設する場合について説明する。
【００８０】
本実施の形態に係るポット支持部３は上述したように、第１挟持部３１と第２挟持部３２とによって継ぎ目部１０６を挟み込んで折板屋根１０１に取り付けられる構成であった。しかしながら、山部１０５と垂直に交わるようにポット支持部３が設置される場合、この継ぎ目部１０６を挟み込むことができない。
【００８１】
そこで、ポット支持部３を、折板屋根１０１においてｘ軸方向に延設する場合、上記継ぎ目部１０６の代わりとなる突出部２６を備えた固定部（取り付け部）２をさらに備え、この固定部２を介して折板屋根１０１に取り付ける構成とする。すなわち、固定部２により、擬似的に継ぎ目部１０６を設け、これを上述したようにポット支持部３が挟み込み折板屋根１０１に固着させるのである。このように構成される場合、固定部２により本発明の取り付け部を実現し、第１挟み込み部３１４と第２挟み込み部３２４とによって本発明の結合部を実現する。
【００８２】
（固定部の構成）
ここで、固定部２の詳細な構成について図８を参照して説明する。図８は、本発明の実施形態を示すものであり、ｙ軸上のα´−α方向から見た場合の、固定部２および折板屋根１０１の断面図である。
【００８３】
固定部２は、山部１０５に形成された継ぎ目部１０６を利用して折板屋根１０１にポット支持部３を固定するためのものであり、例えば、ステンレス鋼等によって形成される。また、上述のように、ポット支持部３の形状は、ｘ軸方向に長く伸びた形状である。このため、１つのポット支持部３に対し、複数の固定部２が所定間隔ごとに異なる山部１０５に設けられる。なお、固定部２が設けられる所定間隔としては、例えば、ポット支持部３と交差する山部１０５ごとであってもよいし、１つおき、２つおき等、所定間隔ごとの山部１０５に固定部２が設けられてもよい。
【００８４】
図８に示すように、固定部２は、上面２１、支持部２２、第１面２３、第２面２４、ボルト２５、および突出部２６を備えてなる構成であり、上面２１、第１面２３、第２面２４によって、その本体の外観形状を形成する。なお、支持部２２とボルト２５とによって、本発明の継ぎ目結合部を実現する。
【００８５】
第１面２３は、山部１０５の固着面に対して略垂直となり、かつｙ軸方向に沿った矩形形状の面であり、支持部２２を有する。
【００８６】
第２面２４は、第１面２３と対向する面であり、第１面２３とによって継ぎ目部１０６を挟み込む位置に配置される。第２面２４は、ボルト２５を貫通させるための貫通孔を有している。
【００８７】
上面２１は、第１面２３および第２面２４と略垂直に交わり、かつ山部１０５の固着面と略並行となる面であり、ポット支持部３が設けられる側の面である。言い換えると、固定部２が折板屋根１０１の山部１０５と接する側とは反対側の面である。そして、上記した第１面２３と、第２面２４と、この上面２１とによって形成される固定部２本体をｙ軸方向からみた場合の形状は、図８に示すようにコの字形状となる。
【００８８】
また、ｙ軸方向からみた場合の上面２１の略中央部には、山部１０５の固着面と略垂直となる方向（ｚ軸方向）でかつ、この固着面とは反対側に突出している突出部２６が形成されている。この突出部２６は、後述するが、第１挟持部３１および第２挟持部３２を固定部２に装着するために利用される。
【００８９】
突出２６の形状は、その先端部においてｙ軸方向に略垂直に折れ曲がっており、ｘ軸方向から見た形状はＬ字形状となっている。また、この突出部２６は、図８に示すように、ｙ軸方向から見た場合、上面２１と略等しい幅を有している。言い換えると、この突出部２６は、ｙ軸方向からみた上面２１の幅と略等しい幅を有する薄板の一方の端部（上面２１と接する側とは反対となる端部）を略垂直に折り曲げた形状をしている。
【００９０】
なお、突出部２６は、上述のように上面２１と略等しい幅を有した形状に限定されるものではなく、上面２１の幅よりも小さい幅を有した形状としてもよい。すなわち、突出部２６のｙ軸方向から見た幅の大きさは、第１挟持部および第２挟持部を安定して取り付けることができる範囲で適宜決定される。
【００９１】
上記支持部２２は、継ぎ目部１０６に当接する部材であり、ボルト２５とともに継ぎ目部１０６を挟持して固定部２を継ぎ目部１０６に固定するものである。
【００９２】
上記ボルト２５は、継ぎ目部１０６を支持部２２対して押圧するものである。すなわち、第２面２４において貫通孔が設けられており、該貫通孔にボルト２５を挿入し、その先端部が第２面２４から第１面２３側に向かうように締め付ける。そして、このボルト２５と支持部２２とによって継ぎ目部１０６を挟み込み、固定部２自身を折板屋根１０１に固定することができる。
【００９３】
なお、本実施の形態に係るポット支持部３では、固定部２は、上記ボルト２５を１つ有する構成であるが、このボルト２５の個数はこれに限定されるものではなく、複数であってもよい。すなわち、継ぎ目部１０６を挟持して固定部２を固定するために必要な力の大きさに応じてボルト２５の個数が決定される。
【００９４】
（固定部へのポット支持部の取り付け構造）
次に、上記した構成を有する固定部２を使って、ポット支持部３を折板屋根１０１に取り付ける、取り付け構造について図９を参照して説明する。図９は、本発明の実施形態を示すものであり、折板屋根１０１におけるｘ軸上のａ−ａ´方向からポット支持部３をみた図である。
【００９５】
上述したように、ポット支持部３が、折板屋根１０１においてｙ軸方向に延設されている場合、ポット支持部用ボルト３４とポット支持部用ナット３３とによって第１接合部３１３と第２接合部３２３とを挟み込むことで、第１挟み込み部３１４と第２挟み込み部３２４との間に継ぎ目部１０６を挟み込み、当該ポット支持部３を折板屋根１０１に固着させる構成であった。
【００９６】
しかしながら、ポット支持部３が、折板屋根１０１においてｘ軸方向に延設される構成の場合、ポット支持部用ボルト３４とポット支持部用ナット３３とによって第１接合部３１３と第２接合部３２３とを挟み込むことで、第１挟み込み部３１４と第２挟み込み部３２４との間に突出部２６を挟み込む。そして、第１挟持部３１および第２挟持部３２を固定部２に取り付ける。
【００９７】
このようにして、固定部２の突出部２６を第１挟みこみ部３１４と第２挟み込み部３２４とによって挟みこむことにより、折板屋根１０１に固着されている固定部２に、第１挟持部３１および第２挟持部３２を取り付けることができる。
【００９８】
また、上述したように第２挟持部３２の第２挟み込み部３２４は、該第２挟持部３２によって挟持するポット１０３が配置される側とは反対方向に向かって突出した形状をしている。
【００９９】
このため、この第２挟み込み部３２４を、固定部２の上面２１と突出部２６とによって形成される間隙にはめ込むことができる。それゆえ、第１挟持部３１と第２挟持部３２とをポット支持部用ボルト３４と、ポット支持部用ナット３３とによって一体となるように接合する際の位置決めを容易とすることができる。
【０１００】
以上のように、本実施の形態に係る屋根緑化システム１００では、ポット支持部３によりポット１０３の側部（第２側部１３４）を挟持し、ポット１０３を折板屋根１０１上で支持することができる。
【０１０１】
このように、従来のようなレールおよびレールの取り付け部材等をさらに設けることなくポット１０３を支持することができるため、ポット１０３の取り付けに必要な部品点数を減らすことができる。したがって、屋根緑化システム１００の実施にかかるコストを低減させることができる。
【０１０２】
さらに、ポット１０３の据付けに必要な部品全体の部品点数を低減させることができるため、ポットの据付けに必要な時間を低減させることができる。特に、本願は、ポット支持部３の第１上部接触部３１１と第１底部接触部３１２との間にポット１０３を差し込むだけでよいため、屋根緑化システム１００の組み立てに必要な作業時間を短縮することができる。
【０１０３】
また、ポット支持部３を、折板屋根１０１においてｘ軸方向に延設するため、継ぎ目部１０６に直接取り付けることができない場合であっても、図８に示すような固定部２を介して取り付けることができる構成である。このため、ポット支持部３を、折板屋根１０１におけるｘ軸方向に延設する構成の場合であっても、レールおよびレールの取り付け部材等を必要とする構成と比較して、ポット１０３の据付けに必要な部品点数を減らすことができる。したがって、屋根緑化システム１００の実施にかかるコストを低減させることができる。さらに、ポット据付部材１の取り付けに必要な時間を低減させることもできる。
【０１０４】
なお、上記では、ポット支持部３は、折板屋根１０１において、ｘ軸方向あるいはｙ軸方向に伸びた縦長形状をしていた。すなわち、ポット支持部３がｘ軸方向に延設される場合、１つのポット支持部３によって、ｘ軸方向に連接された複数のポット１０３・・・の第２側部１３４側の上部１３１および底部１３２に当接し、この両面から挟みこむことができる。
【０１０５】
一方、ｙ軸方向に延設される場合、１つのポット支持部３にｙとて、ｙ軸方向に連接された複数のポット１０３・・・の第２側部１３４側の上部１３１および底部１３２（上部１３１および底部１３２の側端部）に当接し、この両面から挟みこむことができる。
【０１０６】
また、ポット支持部３は第１挟持部３１と第２挟持部３２とを備えてなる構成であるため、該ポット支持部３を間に挟んで隣接するポット１０３・・・の上部１３１および底部１３２の側端部に同時に当接し、この両面から挟みこむことができる。
【０１０７】
上記では、複数の板の端部を鉤継ぎによりつなぎ合わせて構成した折板屋根１０１にポット支持部３を固着させ、ポット１０３を据付る場合について説明した。しかしながら、折板屋根１０１は、上述したような鉤継ぎによりつなぎ合わせた構成に限定されるものではなく、図１０に示す折板屋根１０１のように、複数の板の端部を締結ボルト２０２で締結して構成する場合も想定できる。
【０１０８】
すなわち、折板屋根１０１は、通常、母屋との接合を母屋の梁等に設けたタイトフレーム２０３と呼ばれるフレームを介して行われているが、このタイトフレーム２０３と複数の板の端部とを図１０に示すように締結ボルト２０２と締結ナット２０５で締結し、当該折板屋根１０１を形成する場合がある。このように、締結ボルト２０２と締結ナット２０５でタイトフレーム２０３と複数の板とを締結する構成の場合、山部１０５の固着面から締結ボルト２０２の先端部が突出することとなる。このため、このように締結ボルト２０２が突出した形状の折板屋根１０１の場合、山部１０５の固着面と第１底部接触部３１２および第２底部接触部３２２との間の距離を、締結ボルトの突出している長さ分だけ離す必要がある。また、このようにして形成される折板屋根１０１の場合、山部１０５に継ぎ目部１０６が形成されないため、上述したように折板屋根１０１に、ポット支持部３または固定部２を取り付けることができない。
【０１０９】
そこで、上記した固定部２の代わりに、山部キャップ金具２０４を折板屋根１０１の山部１０５に取り付け、該山部キャップ金具（取り付け部）２０４を介して折板屋根１０１にポット支持部３を取り付ける。
【０１１０】
（山部キャップ金具の構成）
以下において、ポット支持部３を、折板屋根１０１においてｘ軸方向に延設する場合を例に挙げ上記した山部キャップ金具２０４の構成について図１１および図１２を参照して説明する。
【０１１１】
山部キャップ金具２０４は、山部１０５に突出部を形成するためのもので、例えば、ステンレスや溶融亜鉛メッキ鋼板によって形成される。図１１は、本発明の実施形態を示すものであり、折板屋根１０１におけるｘ軸上のａ−ａ´方向からみたポット支持部３および山部キャップ金具２０４の側面図である。また、図１２は、本発明の実施形態を示すものであり、山部キャップ金具２０４の斜視図である。
【０１１２】
山部キャップ金具２０４は、図１１および図１２に示すように、山部１０５の固着面とその固着面近傍の斜辺の一部を覆うように形成された覆い部４１と、覆い部４１の上面４２に、ｚ軸方向に折板屋根１０１から立ち上がる第１突出部４３と、第１突出部４３よりも突出量が小さい第２突出部４４を備えてなる構成である。
【０１１３】
覆い部４１は、山部１０５の山形形状に沿うように形成されており、ネジ（不図示）と、防水性のあるブチルテープ（不図示）とによって山部１０５に接合される。この覆い部４１の上面４２の略中央部に、ｚ軸方向に突出した第１突出部４３と第２突出部４４が形成されている。また、上面の所定位置に上記ネジを貫通させて固定する複数の貫通孔４５・・・が形成されている。
【０１１４】
第１突出部４３は、ポット支持部３の第１挟み込み部３１４と第２挟み込み部３２４とによって挟み込まれ、第１挟持部３１および第２挟持部３２と結合するためのものであり、図１１および図１２に示すように第２突出部４４よりも突出量が大きく、その先端はｙ軸方向に折れ曲がっている。
【０１１５】
第２突出部４４は、第１突出部４３とによって、ポット支持部３が備える第２挟持部３２の第２挟み込み部３２４をはめ込むための間隙を形成するためのもので、その先端は、第１突出部４３と同様の方向に折れ曲がっている。
【０１１６】
すなわち、上述したように、第２挟持部３２の第２挟み込み部３２４は、該第２挟持部３２によって挟持するポット１０３が配置される側とは反対方向に向かって突出した形状をしている。そこで、この突出した形状をはめ込むことで、第１挟持部３１と第２挟持部３２とが一体となるように接合させる際の位置決めを容易とできるように、第１突出部の折れ曲がり部分と、第２突出部の折れ曲がり部分との間に間隙を形成する。
【０１１７】
また、第１突出部４３および第２突出部４４の、ｚ軸方向における突出量は、締結ボルトの突出量より大きくなるように設定される。
【０１１８】
以上のようにして、締結ボルト２０２と締結ナット２０５でタイトフレーム２０３と複数の板とを締結し、折板屋根１０１を構成する場合であっても、固定部２の代わりに山部キャップ金具２０４を用いることで、本実施の形態に係るポット支持部３を折板屋根１０１に取り付けることができる。
【０１１９】
（仕切り部の構成）
また、本実施の形態に係る屋根緑化システム１００では、折板屋根１０１において、ｙ軸上にポット支持部３が延設される構成の場合、植物１０２を植え付けた範囲（緑化範囲）のｙ軸方向における端部に、下記の構成を有する仕切り部５０を備えることができる。また、ｘ軸上にポット支持部３が延設される構成の場合、植物１０２を植え付けた範囲（緑化範囲）のｘ軸方向における端部に、下記の構成を有する仕切り部５０を備えることができる。
【０１２０】
まず、ｙ軸方向にポット支持部３が延設される構成の場合、仕切り部５０の構成について図１３および図１４を参照して説明する。図１３は、本発明の実施形態を示すものであり、ｘ軸上におけるａ´−ａの方向からみた仕切り部５０とポット支持部３を示す側面図である。また、図１４は、本発明の実施形態を示すものであり、ｙ軸上のα´−α方向からみた、固定部２´の側面図である。なお、これ以降では、説明の便宜上、ｙ軸方向にポット支持部３が延設される構成において備えられる仕切り部５０を、仕切り部５０ａ、ｘ軸方向にポット支持部３が延設される構成において備えられる仕切り部５０を、仕切り部５０ｂと区別して表記する。
【０１２１】
仕切り部５０ａは、図１３に示すように、ポット１０３が移動しないように支えるための固定部２´と、緑化範囲の端部側となるポットの側部（第１側部１３３）を覆い隠す為の仕切り板５１とを備えてなる構成である。
【０１２２】
固定部２´は、図１４に示すように、図８に示す固定部２において、突出部２６を省略し、ボルト２５の数を２つにした形状をしている。すなわち、上面２１、支持部２２、第１面２３、第２面２４、およびボルト２５ａ、２５ｂを備えてなる構成であり、上記した固定部２の本体部の構成と類似する構成を有している。このため、固定部２と同様な部材には同じ符号を付し、その説明は省略する。また、２つのボルト２５は、それぞれボルト２５ａ、ボルト２５ｂとして区別して示す。なお、後述する仕切り板５１が、固定部２´が備える上面２１にビス止めされるようになっている。
【０１２３】
また、支持部２２は、継ぎ目部１０６に当接する部材であり、ボルト２５ａ、２５ｂとともに継ぎ目部１０６を挟持して、固定部２´を継ぎ目部１０６に固定させている。つまり、上記ボルト２５ａおよびボルト２５ｂは、継ぎ目部１０６を支持部２２対して押圧している。すなわち、第２面２４において２つの貫通孔が設けられており、該貫通孔にボルト２５ａおよびボルト２５ｂを挿入し、その先端部が第２面２４から第１面２３側に向かうように締め付ける。そして、このボルト２５ａ、ボルト２５ｂと支持部２２とによって継ぎ目部１０６を挟み込み、固定部２´自身を折板屋根１０１に固定することができる。
【０１２４】
仕切り板５１は、図１３に示すように、取り付け面７１、側部覆い面７２、および上部覆い面７３を備えてなる構成である。また、この仕切り板５１は、各山部１０５に固定された固定部２´・・・によって、複数の山部１０５・・・に取り付けられており、緑化範囲の端部側のｘ軸方向における長さと一致する範囲で延設されている。
【０１２５】
取り付け面７１は、当該仕切り板５１を、複数の固定部２´・・・に取り付けるための面である。この取り付け面７１と各固定部２´とは、ビス５３ａ、５３ｂによって固定される。なお、これら両者を取り付けるために利用するビスの数は、上記したビス５３ａおよびビス５３ｂに限定されるものではなく、さらにビスが設けられてもよいし、各固定部２´に対する仕切り板５１の取り付けを一つのビスにより行う構成であってもよい。
【０１２６】
側部覆い面７２は、緑化範囲の端部側となる、複数のポット１０３・・・の側部（第１側部１３３・・・）を覆い隠すためのものである。側部覆い面７２は、緑化範囲の端部側となるポット支持部３の先端部に当接するように、固定部２´の上面６１からｚ軸方向に、ポット１０３の上部１３１とほぼ同じ高さとなる位置まで立ち上がるように形成されている。
【０１２７】
上部覆い面７３は、ポット１０３・・・の上部１３１における所定範囲の側端部の面を覆い隠すものである。
【０１２８】
次いで、今度はｘ軸方向にポット支持部３が延設される場合における、仕切り部５０ｂの構成について図１５を参照して説明する。図１５は、本発明の実施形態を示すものであり、ｙ軸上のα´−α方向からみた仕切り部５０ｂの側面図である。
【０１２９】
図１３に示した仕切り部５０ａとこの図１５に示す仕切り部５０ｂとを比較した場合、仕切り板５１の形状と、固定部２の形状と、固定部２に対する仕切り板５１の取り付け状態とが異なる。
【０１３０】
まず、固定部２は、図８に示した固定部２と同様な部材であるため、その詳細な説明は省略する。
【０１３１】
また、ｘ軸方向にポット支持部３が延設される場合、側部覆い面７２が上述したｙ軸方向にポット支持部３が延設される場合の配置位置から、折板屋根１０１の面において時計周りに９０回転させた位置に配置される。また、固定部２と接する側の側部覆い面７２の端部は、固定部２の上面２１に沿ってポット１０３側に折り曲げられ、取り付け面７１を形成している。
【０１３２】
一方、側部覆い面７２の固定部２と接する側とは反対の端部は、取り付け面７１と並行な対向する面を形成するように、ポット１０３側に折り曲げられ、上部覆い面７３を形成している。また、取り付け面７１と上部覆い面７３との間の距離（側部覆い面７２のｚ軸上の大きさ）は、ポット１０３の上部１３１と底部１３２とのそれぞれに当接し、挟持できる間隔、すなわち、ポット１０３の上部１３１から底部１３２までの距離と略等しくなる。
【０１３３】
また、仕切り板５１は、固定部２に対して下記のように取り付けられる。すなわち、図１６に示すように、仕切り板５１の側部覆い面７２には、固定部２の突出部２６に対応する位置に、切り欠き部８０が形成されている。そして、この切欠き部８０に突出部２６をはめ込み固定するように構成されている。
【０１３４】
また、仕切り板５１は、特に図示していないが、上部覆い面７３にて、第１挟持部３１の第１上部接触部３１１および第２挟持部３２の第２上部接触部３２１それぞれとビス止めされ、固定されるようになっている。
【０１３５】
以上のように、仕切り部５０は、ポット１０３における緑化範囲の端部側の側面と、ポット１０３の上部の側端部とを、側部覆い面７２と上部覆い面７３とによって覆い隠すことができるため、屋根緑化システム１００による緑化範囲の外周をすっきりとしたデザインとすることができる。
【０１３６】
また、固定部５２によって、ポット１０３から、緑化範囲の端部側に向かう方向に及ぼされる荷重を受けることができる。このため、ポット１０３が緑化範囲の端部側に向かう方向に移動してしまうことを防ぐことができる。
【０１３７】
したがって、本実施の形態に係るポット支持部３・・・と、この仕切り部５０とによって、屋根緑化システム１００において配置されるポット１０３・・・を折板屋根１０１上にしっかりと固定することができる。
【０１３８】
なお、本実施の形態に係る屋根緑化システム１００では、仕切り部５０は、図５に示すように、緑化範囲の両端部にそれぞれ設けられている。
【０１３９】
また、ポット１０３・・・を据付ける折板屋根１０１が傾斜しており、折板屋根１０１の流れ方向の上手側に配置される仕切り部５０と下手側に配置される仕切り部５０とのように、ポット１０３・・・から加わる荷重の大きさが異なる場合、固定部５２が有するボルト６５ａ、６５ｂの数を変更してもよい。例えば、下手側に配置される仕切り部５０の固定部５２が有するボルトをボルト６５ａとボルト６５ｂの２つとし、上手側に配置される固定部５２が有するボルトをボルト６５ａのみとしてもよい。すなわち、継ぎ目部１０６を挟持して固定部５２を固定するために必要な力の大きさに応じてボルトの個数が決定される。
【０１４０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４１】
本実施の形態に係るポット支持部３は、ポット１０３の底部１３２を支持するとともに、ポットの底部１３２と上部１３１とに当接してポット１０３を挟持することができる。このため、ポット１０３を載架するためのレールを必要とすることなく折板屋根１０１にポット１０３を据付けることができる。したがって、複数のレールを設けることなくポット１０３のような容器を折板屋根１０１に据付ける用途に幅広く適用できる。
【図面の簡単な説明】
【０１４２】
【図１】本発明の実施形態を示すものであり、ポット支持部の構造を示す側面図である。
【図２】本発明の実施形態を示す図であり、折板屋根に据付たポットに植物を植えつけた屋根緑化システムの一例を示す斜視図である。
【図３】本発明の実施形態を示すものであり、ポットの概略構成を示す斜視図である。
【図４】本発明の実施形態を示すものであり、折板屋根の概略構成を示す斜視図である。
【図５】本発明の実施形態を示すものであり、ポット支持部の折板屋根における配置位置を示す平面図である。
【図６】本発明の実施形態を示すものであり、ポット支持部の分解図である。
【図７】本発明の実施形態を示すものであり、ポット支持部の折板屋根における配置位置を示す平面図である。
【図８】本発明の実施形態を示すものであり、ｙ軸上のα´−α方向から見た場合の、固定部および折板屋根の断面図である。
【図９】本発明の実施形態を示すものであり、折板屋根におけるｘ軸上のａ−ａ´方向からポット支持部３をみた側面図である。
【図１０】本発明の実施形態を示すものであり、折板屋根における締結構造を示す図である。
【図１１】本発明の実施形態を示すものであり、折板屋根におけるｘ軸上のａ−ａ´方向からみたポット支持部および山部キャップ金具の側面図である。
【図１２】本発明の実施形態を示すものであり、山部キャップ金具の斜視図である。
【図１３】本発明の実施形態を示すものであり、ｘ軸上におけるａ´−ａの方向からみた仕切り部とポット支持部を示す側面図である。
【図１４】本発明の実施形態を示すものであり、ｙ軸上のα´−α方向からみた、固定部の側面図である。
【図１５】本発明の実施形態を示すものであり、ｙ軸上のα´−α方向からみた仕切り部の側面図である。
【図１６】本発明の実施形態を示すものであり、ｘ軸上のａ−ａ´方向からみた仕切り板を示す図である。
【符号の説明】
【０１４３】
１  ポット据付部材
２  固定部（取り付け部）
２´固定部
３  ポット支持部（ポット支持部材・緑化支持部材）
２１  上面（固着部）
２２  支持部（継ぎ目結合部・固着部・当接部）
２５  ボルト（継ぎ目結合部・固着部・押圧部）
２５ａボルト
２５ｂボルト
２６  突出部
３１  第１挟持部（ポット挟持部、第１ポット挟持部、取り付け部、結合部）
３２  第２挟持部（ポット挟持部、第２ポット挟持部、取り付け部、結合部）
３３  ポット支持部用ナット
３４  ポット支持部用ボルト
４２  上面
４３  第１突出部（突出部）
４４  第２突出部（突出部）
５０  仕切り部
５０ａ仕切り部
５０ａ仕切り部
５１  仕切り板
１００  屋根緑化システム（ポット支持システム）
１０１  折板屋根
１０３  ポット
１０５  山部
１０６  継ぎ目部
１３１  上部（上部面）
１３２  底部（底部面）
１３３  第１側部
１３３ａ  第１側部
１３３ｂ  第１側部
１３４  第２側部（側部）
１３４ａ  第２側部（側部）
１３４ｂ  第２側部（側部）
２０２  締結ボルト（ボルト）
２０４  山部キャップ金具（取り付け部）
２０５  締結ナット
３１１  第１上部接触部
３１２  第１底部接触部
３１３  第１接合部
３２１  第２上部接触部
３２２  第２底部接触部
３２３  第２接合部
【図１】
2010142202.tif 000003
【図２】
2010142202.tif 000004
【図３】
2010142202.tif 000005
【図４】
2010142202.tif 000006
【図５】
2010142202.tif 000007
【図６】
2010142202.tif 000008
【図７】
2010142202.tif 000009
【図８】
2010142202.tif 000010
【図９】
2010142202.tif 000011
【図１０】
2010142202.tif 000012
【図１１】
2010142202.tif 000013
【図１２】
2010142202.tif 000014
【図１３】
2010142202.tif 000015
【図１４】
2010142202.tif 000016
【図１５】
2010142202.tif 000017
【図１６】
2010142202.tif 000018